(57)【要約】【課題】隣接局の有無にかかわらず適切な受信状態の設定を行うことができるラジオ受信機を提供すること。【解決手段】隣接局検出回路３１によって、受信周波数に隣接する搬送波周波数を有するＩＢＯＣ局が検出されると、制御部７０は、ステレオ復調回路２５、ソフトミュート回路２６等に指示を送って、チャンネルセパレーション特性、ブレンド特性、ハイカット特性、ソフトミュート特性等の入出力特性の制御内容を変更する。また、制御部７０は、マルチパス検出回路３２と隣接妨害検出回路３３に指示を送って、マルチパス妨害や隣接妨害の検出用閾値を変更する。【選択図】        図１
2005005819.tif 000002
【特許請求の範囲】
【請求項１】
所定の受信周波数に隣接する周波数の放送信号を送信する隣接局の有無を検出する隣接局検出手段と、
受信周波数の放送信号を受信してこの放送信号の内容を出力する放送信号受信手段と、
前記隣接局検出手段による検出結果に基づいて、前記放送信号受信手段の動作状態を設定する動作状態設定手段と、を備えることを特徴とするラジオ受信機。
【請求項２】
請求項１において、
受信対象の放送信号の受信状態を検出する受信状態検出手段をさらに備え、
前記動作状態設定手段は、前記受信状態検出手段によって検出された受信状態に基づいて、前記放送信号受信手段の動作状態の設定を行うことを特徴とするラジオ受信機。
【請求項３】
請求項２において、
前記受信状態検出手段によって検出される受信状態は、放送信号の受信電界強度であることを特徴とするラジオ受信機。
【請求項４】
請求項２または３において、
前記隣接局には、アナログ放送信号に対応する第１の搬送波信号とこのアナログ放送信号と同じ放送内容を有するデジタル放送信号に対応する第２の搬送波信号とが一のチャンネルに含まれる放送信号を送信する第１の隣接局と、前記第１の搬送波信号のみが一のチャンネルに含まれる放送信号を送信する第２の隣接局とが含まれており、
前記隣接局検出手段は、前記第１の隣接局の有無を検出することを特徴とするラジオ受信機。
【請求項５】
請求項４において、
前記放送信号受信手段は、前記アナログ放送信号を用いてその内容の再生動作を行うことを特徴とするラジオ受信機。
【請求項６】
請求項４または５において、
前記第２の搬送波信号は、前記第１の搬送波信号の側波帯に配置されていることを特徴とするラジオ受信機。
【請求項７】
請求項４〜６のいずれかにおいて、
前記放送信号受信手段は、受信対象の放送信号を所定の中間周波信号に変換するチューナ部を有しており、
前記隣接局検出手段は、前記中間周波信号中に含まれる前記第２の搬送波信号のビート成分を抽出する第１のフィルタと、前記第１のフィルタを通過した周波数成分のレベル検出を行って前記第１の隣接局の有無を判定する第１の判定手段とを有することを特徴とするラジオ受信機。
【請求項８】
請求項２〜７のいずれかにおいて、
前記放送信号受信手段は、アナログＦＭ変調方式に対応する放送信号を検波した後にステレオ復調処理を行うステレオ復調回路を有しており、
前記動作状態設定手段は、前記受信状態検出手段によって検出された受信状態に基づいて、前記ステレオ復調回路でのステレオ復調処理におけるチャンネルセパレーション特性の設定を行うことを特徴とするラジオ受信機。
【請求項９】
請求項２〜７のいずれかにおいて、
前記放送信号受信手段は、アナログＦＭ変調方式に対応する放送信号を検波した後にステレオ復調処理を行うステレオ復調回路を有しており、
前記動作状態設定手段は、前記受信状態検出手段によって検出された受信状態に基づいて、前記ステレオ復調回路でのステレオ復調処理におけるブレンド特性の設定を行うことを特徴とするラジオ受信機。
【請求項１０】
請求項２〜７のいずれかにおいて、
前記放送信号受信手段は、アナログＦＭ変調方式に対応する放送信号を検波した後にステレオ復調処理を行うステレオ復調回路を有しており、
前記動作状態設定手段は、前記受信状態検出手段によって検出された受信状態に基づいて、前記ステレオ復調回路でのステレオ復調処理において高域成分を除去するハイカット特性の設定を行うことを特徴とするラジオ受信機。
【請求項１１】
請求項２〜７のいずれかにおいて、
前記放送信号受信手段は、アナログ変調方式に対応する放送信号を検波した後に出力レベルを減衰させるミュート回路を有しており、
前記動作状態設定手段は、前記受信状態検出手段によって検出された受信状態に基づいて、前記ミュート回路における出力レベルの減衰量を設定することを特徴とするラジオ受信機。
【請求項１２】
請求項２〜６のいずれかにおいて、
受信周波数におけるマルチパス妨害発生の有無を検出するマルチパス検出回路をさらに備え、
前記動作状態設定手段は、前記隣接局検出手段による検出結果に基づいて、マルチパス妨害発生の有無を判定する際の閾値を可変に設定することを特徴とするラジオ受信機。
【請求項１３】
請求項１２において、
前記放送信号受信手段は、受信対象の放送信号を所定の中間周波信号に変換するチューナ部を有し、
前記マルチパス検出回路は、前記中間周波信号中に含まれるマルチパス妨害発生時に増大する特定周波数成分を抽出する第２のフィルタと、前記第２のフィルタを通過した周波数成分のレベル検出を行ってマルチパス妨害の有無を判定する第２の判定手段とを有し、
前記動作状態設定手段は、前記隣接局検出手段による検出結果に基づいて、前記第２の判定手段による判定を行う際の閾値を可変に設定することを特徴とするラジオ受信機。
【請求項１４】
請求項１３において、
前記放送信号受信手段は、アナログＦＭ変調方式に対応する放送信号を検波した後にステレオ復調処理を行うステレオ復調回路を有しており、
前記動作状態設定手段は、前記マルチパス検出回路によってマルチパスの発生が検出されたときに、前記ステレオ復調回路によるモノラル再生の設定を行うことを特徴とするラジオ受信機。
【請求項１５】
請求項２〜６のいずれかにおいて、
受信周波数における隣接妨害発生の有無を検出する隣接妨害検出回路をさらに備え、
前記動作状態設定手段は、前記隣接局検出手段による検出結果に基づいて、隣接妨害発生の有無を判定する際の閾値を可変に設定することを特徴とするラジオ受信機。
【請求項１６】
請求項１５において、
前記放送信号受信手段は、受信対象の放送信号を所定の中間周波信号に変換するチューナ部を有し、
前記隣接障害検出回路は、前記中間周波信号中に含まれる隣接障害発生時に増大する特定周波数のビート成分を抽出する第３のフィルタと、前記第３のフィルタを通過して特定周波数のビート成分のレベル検出を行って隣接障害の有無を判定する第３の判定手段とを有し、
前記動作状態設定手段は、前記隣接局検出手段による検出結果に基づいて、前記第３の判定手段による判定を行う際の閾値を可変に設定することを特徴とするラジオ受信機。
【請求項１７】
請求項１６において、
前記放送信号受信手段は、前記チューナ部から出力された中間周波信号の中から所定の帯域成分のみを通過させるバンドパスフィルタを有しており、
前記動作状態設定手段は、前記隣接妨害検出回路によって隣接妨害の発生が検出されたときに、前記バンドパスフィルタの帯域を狭くすることを特徴とするラジオ受信機。
【発明の詳細な説明】
【０００１】
【発明の属する技術分野】
本発明は、同じ放送内容を有するアナログ放送信号とデジタル放送信号を受信して再生動作を行うラジオ受信機に関する。
【０００２】
【従来の技術】
従来から、同じ周波数帯域に含まれるアナログ放送信号とデジタル放送信号を受信してそれぞれの放送信号に適した再生動作を並行して行うラジオ受信機が知られている（例えば、特許文献１参照）。このラジオ受信機では、例えばデジタル変調信号からなる主放送信号と、主放送信号の内容を所定時間だけ遅延させたアナログＦＭ変調信号からなる冗長信号とを受信しており、主放送信号が損傷状態にあるとき、あるいは主放送信号が受信されないときに冗長信号による再生動作が行われる。これにより、主放送信号の受信状態が途切れた場合にも良好な放送プログラムの再生を行うことが可能になる。
【０００３】
【特許文献１】
特表２００１−５２０４７９号公報（第７−２０頁、図１−９）
【０００４】
【発明が解決しようとする課題】
上述した特許文献１に開示されたラジオ受信機では、アナログＦＭ放送信号のサイドバンドにデジタル放送信号を配置しているため、アナログＦＭ放送信号のみを受信する場合に比べて広い周波数帯域が必要になる。例えば、アナログＦＭ信号のみを受信する場合の周波数帯域が１５０ｋＨｚに設定されているのに対し、アナログＦＭ放送信号とデジタル放送信号の両方を受信する場合には周波数帯域が５００ｋＨｚに設定されている。
【０００５】
ところで、現状のアメリカ合衆国におけるアナログＦＭ放送では、受信周波数の周波数割り当てが２００ｋＨｚ間隔で行われており、受信周波数に隣接する周波数（受信周波数に対して±２００ｋＨｚの周波数）に、アナログＦＭ放送信号とデジタル放送信号が含まれる周波数帯域が広い放送信号を送信する放送局（隣接局）が存在すると、サイドバンドに含まれるデジタル放送信号のために受信周波数におけるノイズフロアーが上昇する。通常の受信機は、放送信号の受信電界強度を検出するＳメータを有し、この検出信号に基づいて各種の制御動作（例えば、ハイカット処理やソフトミュート処理等）を行っており、サイドバンドにデジタル放送信号が含まれる隣接局の有無によってＳメータの検出信号のレベルが変化すると、各種の制御動作が正常に行われず、適切な動作状態を実現することができないという問題があった。
【０００６】
本発明は、このような点に鑑みて創作されたものであり、その目的は、隣接局の有無にかかわらず適切な動作状態を実現することができるラジオ受信機を提供することにある。
【０００７】
【課題を解決するための手段】
上述した課題を解決するために、本発明のラジオ受信機は、所定の受信周波数に隣接する周波数の放送信号を送信する隣接局の有無を検出する隣接局検出手段と、受信周波数の放送信号を受信してこの放送信号の内容を出力する放送信号受信手段と、隣接局検出手段による検出結果に基づいて、放送信号受信手段の動作状態を設定する動作状態設定手段とを備えている。これにより、隣接局の有無に応じて異なる動作状態の設定が可能になり、隣接局の有無にかかわらず適切な受信状態を実現することができる。
【０００８】
また、受信対象の放送信号の受信状態を検出する受信状態検出手段をさらに備え、上述した動作状態設定手段は、受信状態検出手段によって検出された受信状態に基づいて、放送信号受信手段の動作状態の設定を行うことが望ましい。また、上述した受信状態検出手段によって検出される受信状態は、放送信号の受信電界強度であることが望ましい。これにより、隣接局の有無を考慮しつつ、放送信号の受信状態、特に受信電界強度に応じて適切な動作状態を実現することができる。
【０００９】
また、上述した隣接局には、アナログ放送信号に対応する第１の搬送波信号とこのアナログ放送信号と同じ放送内容を有するデジタル放送信号に対応する第２の搬送波信号とが一のチャンネルに含まれる放送信号を送信する第１の隣接局と、第１の搬送波信号のみが一のチャンネルに含まれる放送信号を送信する第２の隣接局とが含まれており、隣接局検出手段は、第１の隣接局の有無を検出することが望ましい。これにより、第２の搬送波信号によってノイズフロアー全体が上昇する場合であっても、常に適切な動作状態を実現することが可能になる。
【００１０】
また、上述した放送信号受信手段は、アナログ放送信号を用いてその内容の再生動作を行うことが望ましい。これにより、第１の隣接局に含まれる第２の搬送波信号によって、受信対象となるアナログ放送信号のノイズフロアーが上昇した場合であっても適切な動作状態を実現することが可能になる。
【００１１】
また、上述した放送信号受信手段は、受信対象の放送信号を所定の中間周波信号に変換するチューナ部を有しており、隣接局検出手段は、中間周波信号中に含まれる第２の搬送波信号のビート成分を抽出する第１のフィルタと、第１のフィルタを通過した周波数成分のレベル検出を行って第１の隣接局の有無を判定する第１の判定手段とを有することが望ましい。これにより、アナログ放送信号とともにデジタル放送信号が含まれるチャンネルの放送信号に対応した隣接局のみを選択的に抽出することが可能になる。
【００１２】
また、上述した放送信号受信手段は、アナログＦＭ変調方式に対応する放送信号を検波した後にステレオ復調処理を行うステレオ復調回路を有しており、動作状態設定手段は、受信状態検出手段によって検出された受信状態に基づいて、ステレオ復調回路でのステレオ復調処理におけるチャンネルセパレーション特性の設定を行うことが望ましい。また、上述した放送信号受信手段は、アナログＦＭ変調方式に対応する放送信号を検波した後にステレオ復調処理を行うステレオ復調回路を有しており、動作状態設定手段は、受信状態検出手段によって検出された受信状態に基づいて、ステレオ復調回路でのステレオ復調処理におけるブレンド特性の設定を行うことが望ましい。また、上述した放送信号受信手段は、アナログＦＭ変調方式に対応する放送信号を検波した後にステレオ復調処理を行うステレオ復調回路を有しており、動作状態設定手段は、受信状態検出手段によって検出された受信状態に基づいて、ステレオ復調回路でのステレオ復調処理において高域成分を除去するハイカット特性の設定を行うことが望ましい。さらに、上述した放送信号受信手段は、アナログ変調方式に対応する放送信号を検波した後に出力レベルを減衰させるミュート回路を有しており、動作状態設定手段は、受信状態検出手段によって検出された受信状態に基づいて、ミュート回路における出力レベルの減衰量を設定することが望ましい。このように、隣接局の有無に応じてチャンネルセパレーション特性、ブレンド特性、ハイカット特性、ミュート特性を設定することにより、放送信号の受信状態に応じて適切な動作状態を実現することができる。
【００１３】
また、受信周波数におけるマルチパス妨害発生の有無を検出するマルチパス検出回路をさらに備え、動作状態設定手段は、隣接局検出手段による検出結果に基づいて、マルチパス妨害発生の有無を判定する際の閾値を可変に設定することが望ましい。これにより、隣接局の有無に応じてマルチパス妨害の検出能力が変化してしまう場合であっても、隣接局の有無にかかわらず適切なマルチパス妨害の検出を行うことが可能になる。
【００１４】
また、上述した放送信号受信手段は、受信対象の放送信号を所定の中間周波信号に変換するチューナ部を有し、マルチパス検出回路は、中間周波信号中に含まれるマルチパス妨害発生時に増大する特定周波数成分を抽出する第２のフィルタと、第２のフィルタを通過した周波数成分のレベル検出を行ってマルチパス妨害の有無を判定する第２の判定手段とを有し、動作状態設定手段は、隣接局検出手段による検出結果に基づいて、第２の判定手段による判定を行う際の閾値を可変に設定することが望ましい。これにより、隣接局の有無にかかわらずマルチパス妨害の発生を確実に検出することが可能になる。
【００１５】
また、上述した放送信号受信手段は、アナログＦＭ変調方式に対応する放送信号を検波した後にステレオ復調処理を行うステレオ復調回路を有しており、動作状態設定手段は、マルチパス検出回路によってマルチパスの発生が検出されたときに、ステレオ復調回路によるモノラル再生の設定を行うことが望ましい。これにより、隣接局の有無にかかわらずマルチパスの発生を検出し、適切な動作状態を実現することが可能になる。
【００１６】
また、受信周波数における隣接妨害発生の有無を検出する隣接妨害検出回路をさらに備え、動作状態設定手段は、隣接局検出手段による検出結果に基づいて、隣接妨害発生の有無を判定する際の閾値を可変に設定することが望ましい。これにより、隣接局が存在する場合であっても隣接妨害の検出機能を維持することが可能になり、隣接局の有無にかかわらず適切な隣接妨害の検出を行うことが可能になる。
【００１７】
また、上述した放送信号受信手段は、受信対象の放送信号を所定の中間周波信号に変換するチューナ部を有し、隣接障害検出回路は、中間周波信号中に含まれる隣接障害発生時に増大する特定周波数のビート成分を抽出する第３のフィルタと、第３のフィルタを通過して特定周波数のビート成分のレベル検出を行って隣接障害の有無を判定する第３の判定手段とを有し、動作状態設定手段は、隣接局検出手段による検出結果に基づいて、第３の判定手段による判定を行う際の閾値を可変に設定することが望ましい。これにより、隣接局が存在する場合と存在しない場合のそれぞれにおいて適切に隣接妨害を検出することが可能になる。
【００１８】
また、上述した放送信号受信手段は、チューナ部から出力された中間周波信号の中から所定の帯域成分のみを通過させるバンドパスフィルタを有しており、動作状態設定手段は、隣接妨害検出回路によって隣接妨害の発生が検出されたときに、バンドパスフィルタの帯域を狭くすることが望ましい。これにより、隣接局の有無にかかわらず隣接妨害の発生を検出し、適切な動作状態を実現することが可能になる。
【００１９】
【発明の実施の形態】
以下、本発明を適用した一実施形態のラジオ受信機について、図面を参照しながら詳細に説明する。
図１は、一実施形態のラジオ受信機の構成を示す図である。図１に示すラジオ受信機は、チューナ部１０、アナログ放送デコーダ２０、デジタル放送デコーダ４０、メモリ５０、アンプ６０、スピーカ６２、制御部７０を含んで構成されている。このラジオ受信機は、ＦＭイン・バンド・オン・チャンネル（ＩＢＯＣ）デジタル音声放送（ＤＡＢ）のための変調フォーマットを有する放送信号を送受信する放送システム（ＩＢＯＣ放送システム）に適用されるものである。
【００２０】
チューナ部１０は、アンテナ８０に到達した各種の放送信号の中から所定周波数成分のみを抽出し、所定周波数帯域を有するＩＦ（中間周波）信号に変換して出力する。例えば、チューナ部１０は、高周波増幅器、ミキサ回路、局部発振器、ＩＦ増幅器、ＩＦフィルタ等を含んで構成されており、放送信号の中から受信対象となる所定周波数成分のみが抽出され、周波数変換がなされた後のＩＦ信号が出力される。
【００２１】
また、チューナ部１０は、ＩＦ信号に対応する放送信号の受信電界強度（受信状態）を検出するＳメータ（シグナルメータ）１２を有している。Ｓメータ１２は、例えばＩＦ信号をＬＰＦ（ローパスフィルタ）に通してＡＭ検波することにより、受信電界強度に応じた電圧レベルを有するＳメータ信号を出力する。また、Ｓメータ１２は、ＬＰＦに通す前のＩＦ信号のＡＣ成分を含む信号を出力しており、この信号がアナログ放送デコーダ２０に入力される。
【００２２】
図２は、ＩＢＯＣ放送システムに用いられる放送信号の周波数割り当てを示す図であり、チューナ部１０から出力される一の放送チャンネルに対応するＩＦ信号の出力スペクトル密度が示されている。図２の横軸には、放送信号の周波数がＩＦ信号の中心周波数を０として示されている。図２に示すように、本実施形態の放送信号には、中心周波数からずれるにしたがって所定の勾配でスペクトル密度が低下する信号成分（第１の搬送波信号）としてのアナログＦＭ放送信号と、このアナログＦＭ放送信号の両側、すなわち上側波帯と下側波帯として配置された信号成分（第２の搬送波信号）としてのデジタル放送信号とが含まれている。
【００２３】
アナログＦＭ放送信号は、音声信号をＦＭ変調（周波数変調）することにより生成された放送信号である。デジタル放送信号は、音声信号をデジタル変調することにより生成された放送信号である。また、これらのアナログＦＭ放送信号とデジタル放送信号は同じ音声信号に対して変調処理を行って生成されるが、放送局側では、アナログＦＭ放送信号に対して所定の遅延量（例えば４秒程度）を与えた後に送信されており、同じ内容に対応するアナログＦＭ放送信号がデジタル放送信号に対してこの遅延量分遅れて受信される。
【００２４】
アナログ放送デコーダ２０は、チューナ部１０から出力されるＩＦ信号に含まれるアナログＦＭ放送信号に基づいて所定の復調処理を行って音声データを再生、出力する。また、デジタル放送デコーダ４０は、チューナ部１０から出力されるＩＦ信号に含まれるデジタル放送信号に基づいて所定の復調処理を行って音声データを再生、出力する。デジタル放送デコーダ４０から出力される復調処理後の音声データは、一旦メモリ５０に蓄積された後、アナログ放送デコーダ２０に入力される。
【００２５】
本実施形態では、アナログ放送デコーダ２０には、アナログ放送デコーダ２０自身を用いて再生された音声データとデジタル放送デコーダ４０を用いて再生された音声データとを切り替える機能が備わっている。通常は、音質が良好なデジタル音声データが選択され、デジタル音声データの選択が不可能な場合にアナログ音声データが代わりに選択される。このような切替処理を行うために、デジタル放送デコーダ４０から出力された音声データは、メモリ５０に蓄積された後、一旦アナログ放送デコーダ２０に入力される。
【００２６】
デジタル放送デコーダ４０は、デジタル放送デコード処理部４２を備えている。デジタル放送デコード処理部４２は、入力されるＩＦ信号に含まれるデジタル放送信号を抽出した後、所定のデジタル復調処理を行って音声データを出力する。
【００２７】
図３は、アナログ放送デコーダ２０に含まれる一部の回路の詳細構成を示す図である。
図１および図３に示すように、アナログ放送デコーダ２０は、アナログ−デジタル変換器（Ａ／Ｄ）２１、バンドパスフィルタ（ＢＰＦ）２２、検波回路２３、ノイズキャンセラ（ＮＣ）２４、ステレオ復調回路２５、ソフトミュート回路２６、切替スイッチ２７、デジタル−アナログ変換器（Ｄ／Ａ）２８を備えている。
【００２８】
アナログ−デジタル変換器２１は、チューナ部１０から入力されるＩＦ信号を所定周波数でサンプリングしてデジタルデータ（ＩＦデータ）に変換する。バンドパスフィルタ２２は、ＩＦデータの中心周波数（例えば、１０．７ＭＨｚ）に対して所定の帯域に含まれる成分を抽出する。本実施形態では、２種類の帯域（狭帯域と広帯域）を選択的に設定することができる。検波回路２３は、バンドパスフィルタ２２を通過した後のＩＦデータに対して所定のＦＭ検波処理を行う。ノイズキャンセラ２４は、ＦＭ検波後のステレオ複合データに含まれるノイズ成分を除去する。
【００２９】
ステレオ復調回路２５は、ステレオ複合データに含まれるＬデータとＲデータとを分離する処理を行う。このステレオ復調回路２５には、セパレーションコントロール回路２５０とハイカット回路２５２が含まれている。セパレーションコントロール回路２５０は、受信電界強度が低下したときにＬデータとＲデータとを混合するフレンド処理や、さらに受信電界強度が低下したときにステレオ再生をモノラル再生に変更する処理を行う。ハイカット回路２５２は、受信電界強度が低下して高域のノイズ成分が増加したときにこの高域成分を除去するハイカット処理を行う。ソフトミュート回路２６は、さらに受信電界強度が低下してノイズ成分が増加すると、出力レベルを減衰させるソフトミュート処理を行う。
【００３０】
切替スイッチ２７は、ソフトミュート回路２６から出力されるアナログ再生による音声データと、メモリ５０を介して入力されるデジタル再生による音声データのいずれかを選択して出力する。通常は、切替スイッチ２７ではデジタル再生による音声データが選択されて出力されているが、一時的にデジタル再生が不可能になった場合や受信電界強度が極端に低下してビットエラーが所定値を越えて増加したためにデジタル再生が困難になった場合等には、アナログ再生による音声データが選択されて出力される。デジタル−アナログ変換器２８は、切替スイッチ２７から出力される音声データをアナログの音声信号に変換して出力する。
【００３１】
また、アナログ放送デコーダ２０は、アナログ−デジタル変換器（Ａ／Ｄ）３０、隣接局検出回路３１、マルチパス検出回路３２、隣接妨害検出回路３３、バスＩＦ（インタフェース）部３４を備えている。
アナログ−デジタル変換器３０は、チューナ部１０内のＳメータ１２から出力されるＬＰＦを通す前の信号を所定周波数でサンプリングしてデジタルデータ（電界強度データ）に変換する。
【００３２】
隣接局検出回路３１は、受信周波数に対して２００ｋＨｚ隔たった搬送波周波数を有するＩＢＯＣ放送システムに対応した放送局（この放送局を「ＩＢＯＣ局」と称する）の有無を検出する。例えば、本実施形態では、ＩＢＯＣ局の周波数割り当て間隔が２００ｋＨｚに、アナログＦＭ放送信号のみを送信するそれ以外の放送局の周波数割り当て間隔が１００ｋＨｚに設定されているものとする。
【００３３】
図３に示すように、この隣接局検出回路３１は、バンドパスフィルタ（ＢＰＦ）３１０とピーク判定回路３１２とを含んで構成されている。各ＩＢＯＣ局から送信される放送信号は、図２に示すように、アナログＦＭ放送信号に対応する周波数成分とその側波帯に配置されたデジタル放送信号に対応する周波数成分とを含んでいるため、受信周波数に対して２００ｋＨｚ隔たったＩＢＯＣ局が存在する場合には、Ｓメータ１２から出力される信号のＡＣ成分の中にデジタル放送信号によって生じるビート成分が含まれることになる。バンドパスフィルタ３１０は、このビート成分を抽出する。ピーク判定回路３１２は、バンドパスフィルタ３１０によって抽出されたビート成分のピーク値を検出し、このピーク値が所定レベルを超えたときに、隣接局が存在し、かつ、この隣接局がＩＢＯＣ局である旨を示す検出データを出力する。
【００３４】
マルチパス検出回路３２は、マルチパス妨害発生の有無を検出する。図３に示すように、このマルチパス検出回路３２は、バンドパスフィルタ（ＢＰＦ）３２０とピーク判定回路３２２とを含んで構成されている。マルチパス妨害によるノイズは、ステレオ復調時に発生するので、ステレオ複合データに含まれる１９ｋＨｚのパイロット信号の高域歪み成分を検出することによってマルチパス妨害発生の有無を知ることができる。バンドパスフィルタ３２０は、パイロット信号の高域歪み成分として、例えば１１４ｋＨｚ（＝１９ｋＨｚ×６）近傍の成分を抽出する。ピーク判定回路３２２は、バンドパスフィルタ３２０によって抽出された１１４ｋＨｚ近傍のピーク値を検出し、このピーク値が所定の閾値を超えたときに、マルチパス妨害が発生している旨を示す検出データを出力する。
【００３５】
隣接妨害検出回路３３は、受信周波数に対して１００ｋＨｚ隔たった搬送周波数を有する隣接局による隣接妨害の有無を検出する。図３に示すように、この隣接妨害検出回路３３は、バンドパスフィルタ（ＢＰＦ）３３０とピーク判定回路３３２とを含んで構成されている。受信周波数に対して１００ｋＨｚ隔たった隣接局が存在する場合には、Ｓメータ１２から出力される信号のＡＣ成分の中に１００ｋＨｚのビート成分が含まれる。バンドパスフィルタ３３０は、この１００ｋＨｚのビート成分を抽出する。ピーク判定回路３３２は、バンドパスフィルタ３３０によって抽出された１００ｋＨｚのビート成分のピーク値を検出し、このピーク値が所定レベルを超えたときに、隣接妨害が発生している旨の検出データを出力する。
【００３６】
バスＩＦ部３４は、バスを介して制御部７０との間で所定フォーマットのデータを送受信する処理を行う。例えば、本実施形態では、フィリップス社が提唱しているＩＩＣバスを介して制御部７０とチューナ部１０、アナログ放送デコーダ２０、デジタル放送デコーダ４０とが接続されており、このＩＩＣバスに適合したフォーマットのデータが送受信される。
【００３７】
また、図１に示すアンプ６０は、アナログ放送デコーダ２０内のデジタル−アナログ変換器２８から出力される音声信号を増幅し、スピーカ６２を駆動する。なお、図１では、１個のスピーカ６２が図示されているが、実際にはステレオ音声信号用に２個以上のスピーカが備わっている。
【００３８】
制御部７０は、ラジオ受信機の全体を制御する。例えば、操作部（図示せず）を用いて利用者による各種の指示操作が行われた場合には、制御部７０は、その操作内容に応じた制御動作を行う。これにより、所望の放送局に割り当てられた周波数に受信周波数をあわせる選局動作や、音量あるいは音質等の調整動作が行われる。また、本実施形態では、制御部７０は、隣接局としてのＩＢＯＣ局の有無に応じて、ＦＭ入出力特性、マルチパス特定および隣接妨害特性のそれぞれの設定内容を変更する。この設定内容変更の詳細については後述する。
【００３９】
上述した隣接局検出回路３１が隣接局検出手段に、チューナ部１０、アナログ−デジタル変換器２１、バンドパスフィルタ２２、検波回路２３、ノイズキャンセラ２４、ステレオ復調回路２５、ソフトミュート回路２６が放送信号受信手段に、制御部７０が動作状態設定手段に、Ｓメータ１２が受信状態検出手段にそれぞれ対応する。また、アナログＦＭ放送信号が第１の搬送波信号に、デジタル放送信号が第２の搬送波信号に、隣接局としてのＩＢＯＣ局が第１の隣接局に、ＩＢＯＣ局以外の隣接局が第２の隣接局にそれぞれ対応する。バンドパスフィルタ３１０が第１のフィルタに、ピーク判定回路３１２が第１の判定手段に、バンドパスフィルタ３２０が第２のフィルタに、ピーク判定回路３２２が第２の判定手段に、バンドパスフィルタ３３０が第３のフィルタに、ピーク判定回路３３２が第３の判定手段にそれぞれ対応する。
【００４０】
本実施形態のラジオ受信機はこのような構成を有しており、次にその動作を説明する。
（１）隣接局としてのＩＢＯＣ局が存在しない場合の動作
まず、制御部７０によって所定の受信周波数が設定されたときに、この受信周波数よりも２００ｋＨｚ低いあるいは高い搬送波周波数の放送信号を送信しているＩＢＯＣ局が存在しない場合の動作を説明する。
【００４１】
（１−１）入出力特性の制御
上述したように、アナログ放送デコーダ２０内の隣接局検出回路３１は、Ｓメータ１２から出力される信号のＡＣ成分中の特定周波数のビート成分を抽出しており、このビート成分のピーク値が所定レベルを超えたときに隣接局としてのＩＢＯＣ局の検出を行って、その旨の検出データを出力している。制御部７０は、バスＩＦ部３４を介してこの検出データを受け取っており、この検出データが出力されない場合には隣接局としてのＩＢＯＣ局が存在しないと判断して、以下に示す入出力特性の制御を行う。
【００４２】
図４は、隣接局としてのＩＢＯＣ局が存在しない場合の入出力特性の内容を示す図である。図４において、横軸は受信感度を示す入力レベル、縦軸（左側）はオーディオ出力レベルである。また、この図には、Ｓメータ１２から出力されるＳメータ信号の電圧レベル（Ｓメータ出力）と受信電界強度との関係も示されており（特性Ｓ）、右側の縦軸はＳメータ信号の電圧レベルを示している。また、特性Ｏは出力音声信号特性曲線を、特性Ｎは出力ノイズ特性曲線を、特性Ｃはチャンネルセパレーション特性曲線を、特性Ｈはハイカット特性曲線をそれぞれ示している。
【００４３】
特性Ｓで示されるＳメータ信号の電圧レベルは、放送信号の受信電界強度が良好な状態においてはほぼ一定の値を維持しており、受信電界強度がその状態よりも悪化するとほぼ直線的に値が低下する。制御部７０は、このようなＳメータ信号の電圧レベルを検出することにより、放送信号の受信電界強を知ることができる。
【００４４】
制御部７０によって制御される入出力特性には、チャンネルセパレーション特性、ブレンド特性、ハイカット特性、ソフトミュート特性の４種類が含まれている。
制御部７０は、Ｓメータ信号の電圧レベルに基づいて放送信号の受信電界強度を検出し、受信電界強度が基準値ａ以上の場合には、バスＩＦ部３４を介してステレオ復調回路２５内のセパレーションコントロール回路２５０に指示を送り、、特性Ｃで示される一定値となるようにチャンネルセパレーションが設定される。
【００４５】
受信電界強度が基準値ａを下回る場合には、制御部７０は、特性Ｃで示される所定の割合で（例えば受信電界強度が４０ｄＢ低下するときにチャンネルセパレーションが１１ｄＢ低下するように）チャンネルセパレーションを下げるように制御する。
【００４６】
また、受信電界強度が基準値ｂを下回る場合には、制御部７０は、ステレオ復調回路２５内のハイカット回路２５２に指示を送って、特性Ｈで示される関係を満たすように徐々に音声信号の高域成分を除去する設定を行う。
さらに、受信電界強度が基準値ｃを下回る場合には、制御部７０は、バスＩＦ部３４を介してソフトミュート回路２６に指示を送って、特性Ｏで示される関係を満たすように徐々に出力レベルを低下させるソフトミュート処理が実施される。
【００４７】
（１−２）マルチパス特性の制御
図５は、隣接局としてのＩＢＯＣ局が存在しない場合であってマルチパス妨害が発生していないときにＳメータ１２から出力される信号のＡＣ成分を示す図である。また、図６は隣接局としてのＩＢＯＣ局が存在しない場合であってマルチパス妨害が発生しているときにＳメータ１２から出力される信号のＡＣ成分を示す図である。
【００４８】
隣接局としてのＩＢＯＣ局が存在しない場合には、制御部７０は、バスＩＦ部３４を介してマルチパス検出回路３２内のピーク判定回路３２２に指示を送り、マルチパス妨害検出に用いられる閾値Ｒ０を設定する。以後、ピーク判定回路３２２は、バンドパスフィルタ３２０によって抽出されたＳメータ１２の出力信号中の１１４ｋＨｚ近傍の成分のピーク値を検出し、図６に示すようにこのピーク値が閾値Ｒ０を超えたときに、マルチパス妨害が発生している旨を示す検出データを出力する。この検出データは、バスＩＦ部３４を介して制御部７０に送られる。
【００４９】
制御部７０は、マルチパス検出回路３２から送られてくるマルチパス妨害発生を知らせる検出データを受信すると、バスＩＦ部３４を介してステレオ復調回路２５内のセパレーションコントロール回路２５０に対してステレオ再生動作をモノラル再生動作に変更する指示を送る。以後、ステレオ復調回路２５によってモノラル復調処理が行われ、マルチパス妨害ノイズの低減が行われる。
【００５０】
（１−３）隣接妨害特性の制御
図７は、隣接局としてのＩＢＯＣ局が存在しない場合であって隣接妨害が発生していないときにＳメータ１２から出力される信号のＡＣ成分を示す図である。
また、図８は隣接局としてのＩＢＯＣ局が存在しない場合であって隣接妨害が発生しているときにＳメータ１２から出力される信号のＡＣ成分を示す図である。
【００５１】
隣接局としてのＩＢＯＣ局が存在しない場合には、制御部７０は、バスＩＦ部３４を介して隣接妨害検出回路３３内のピーク判定回路３３２に指示を送り、隣接妨害検出に用いられる閾値Ｋ０を設定する。以後、ピーク判定回路３３２は、バンドパスフィルタ３３０によって抽出されたＳメータ１２の出力信号中の１００ｋＨｚ近傍のビート成分のピーク値を検出し、図８に示すようにこのピーク値が閾値Ｋ０を超えたときに、隣接妨害ノイズが発生している旨を示す検出データを出力する。この検出データは、バスＩＦ部３４を介して制御部７０に送られる。
【００５２】
制御部７０は、隣接妨害検出回路３３から送られてくる隣接妨害発生を知らせる検出データを受信すると、バスＩＦ部３４を介してバンドパスフィルタ（ＢＰＦ）２２に対して通過帯域を狭くする指示を送る。以後、バンドパスフィルタ２２を通過する帯域が狭くなるので、受信周波数に対して１００ｋＨｚ隔たった搬送波周波数の隣接局が存在した場合の隣接妨害ノイズを低減することが可能になる。
【００５３】
（２）隣接局としてのＩＢＯＣ局が存在する場合の動作
次に、制御部７０によって所定の受信周波数が設定されたときに、この受信周波数よりも２００ｋＨｚ低いあるいは高い搬送波周波数の放送信号を送信しているＩＢＯＣ局が存在する場合の動作を説明する。
【００５４】
（２−１）入出力特性の制御
受信周波数に対して２００ｋＨｚ隔たった搬送波周波数の放送信号を送信する隣接局が存在し、しかもその隣接局がＩＢＯＣ局である場合には、このＩＢＯＣ局の放送信号の帯域のサイドバンドに含まれるデジタル放送信号が受信周波数帯域に混入してくるため、受信しようとしている放送信号のノイズフロアーが全体的に上昇してしまい、図４に示した入出力特性の関係が成立しなくなる。
【００５５】
図９は、隣接局としてのＩＢＯＣ局が存在する場合の入出力特性の内容を示す図である。図９を図４と比べると明らかなように、隣接局としてのＩＢＯＣ局が存在すると、特性Ｎで示されるノイズ特性の収束点（特性Ｎ’の左端）のレベルが変わるだけでなく、出力音声信号特性（特性Ｏ’）、チャンネルセパレーション特性（特性Ｃ’）、ハイカット特性（特性Ｈ’）のそれぞれの受信電界強度に対する関係も変化してしまい、図４に示した基準値ａ、ｂ、ｃを用いても入出力特性の適切な制御を行うことができない。そこで、本発明では、図９に示す入出力特性用に新たな用意された基準値ａ’、ｂ’、ｃ’を用いて入出力特性の制御が行われる。
【００５６】
具体的には、制御部７０は、Ｓメータ信号の電圧レベルに基づいて放送信号の受信電界強度を検出し、受信電界強度が基準値ａ’以上の場合には、バスＩＦ部３４を介してステレオ復調回路２５内のセパレーションコントロール回路２５０に指示を送り、、特性Ｃ’で示される一定値となるようにチャンネルセパレーションが設定される。
【００５７】
受信電界強度が基準値ａ’を下回る場合には、制御部７０は、特性Ｃ’で示される所定の割合でチャンネルセパレーションを下げるように制御する。
また、受信電界強度が基準値ｂ’を下回る場合には、制御部７０は、ステレオ復調回路２５内のハイカット回路２５２に指示を送って、特性Ｈ’で示される関係を満たすように徐々に音声信号の高域成分を除去する設定を行う。
【００５８】
さらに、受信電界強度が基準値ｃ’を下回る場合には、制御部７０は、バスＩＦ部３４を介してソフトミュート回路２６に指示を送って、特性Ｏ’で示される関係を満たすように徐々に出力レベルを低下させるソフトミュート処理が実施される。
【００５９】
（２−２）マルチパス特性の制御
隣接局としてのＩＢＯＣ局が存在すると、Ｓメータ１２から出力される信号のＡＣ成分の中に含まれる各種周波数のビート成分が増加するため、マルチパス妨害検出用に抽出していた１１４ｋＨｚ近傍の成分がこのビート成分に隠れてしまう。
【００６０】
図１０は、隣接局としてのＩＢＯＣ局が存在する場合であってマルチパス妨害が発生していないときにＳメータ１２から出力される信号のＡＣ成分を示す図である。また、図１１は隣接局としてのＩＢＯＣ局が存在する場合であってマルチパス妨害が発生しているときにＳメータ１２から出力される信号のＡＣ成分を示す図である。
【００６１】
図１０に示すように、隣接局としてのＩＢＯＣ局が存在すると、Ｓメータ１２から出力される信号のＡＣ成分は、マルチパス検出に用いる１１４ｋＨｚを含む広い範囲にわたってレベルが上昇してしまい、隣接局としてのＩＢＯＣ局がない場合であっても、マルチパス妨害検出を行うために用いていた閾値Ｒ０を超えてしまう。したがって、隣接局としてのＩＢＯＣ局が存在する場合には、制御部７０は、バスＩＦ部３４を介してマルチパス検出回路３２内のピーク判定回路３２２に指示を送り、マルチパス妨害検出に用いられる閾値をＲ０よりも大きなＲ１に変更する。この変更後の閾値Ｒ１は、隣接局としてのＩＢＯＣ局が存在し、かつ、マルチパス妨害が発生していない場合のＳメータ１２の出力信号中の１１４ｋＨｚ近傍の成分のピーク値よりも高く設定されており、マルチパス検出回路３２によって、マルチパスが発生していないことを正確に検出することができるようになる。
【００６２】
一方、図１１に示すように、マルチパス妨害が発生すると１１４ｋＨｚ近傍の成分のピーク値がさらに高くなって変更後の閾値Ｒ１を超えるため、マルチパス検出回路３２は、マルチパス妨害が発生している旨を示す検出データを出力する。この検出データは、バスＩＦ部３４を介して制御部７０に送られる。
【００６３】
制御部７０は、マルチパス検出回路３２から送られてくるマルチパス妨害発生を知らせる検出データを受信すると、バスＩＦ部３４を介してステレオ復調回路２５内のセパレーションコントロール回路２５０に対してステレオ再生動作をモノラル再生動作に変更する指示を送る。以後、ステレオ復調回路２５によってモノラル復調処理が行われ、マルチパス妨害ノイズの低減が行われる。
【００６４】
（２−３）隣接妨害特性の制御
また、隣接局としてのＩＢＯＣ局が存在すると、Ｓメータ１２から出力される信号のＡＣ成分の中に含まれる各種周波数のビート成分が増加するため、マルチパス検出用に抽出していた１００ｋＨｚ近傍の成分もこのビート成分に隠れてしまう。
【００６５】
図１２は、隣接局としてのＩＢＯＣ局が存在する場合であって隣接妨害が発生していないときにＳメータ１２から出力される信号のＡＣ成分を示す図である。
また、図１３は隣接局としてのＩＢＯＣ局が存在する場合であって隣接妨害が発生しているときにＳメータ１２から出力される信号のＡＣ成分を示す図である。
【００６６】
図１２に示すように、隣接局としてのＩＢＯＣ局が存在すると、Ｓメータ１２から出力される信号のＡＣ成分は、隣接妨害検出に用いる１００ｋＨｚを含む広い範囲にわたってレベルが上昇してしまい、隣接局としてのＩＢＯＣ局がない場合であっても、隣接妨害検出を行うために用いていた閾値Ｋ０を超えてしまう。
したがって、隣接局としてのＩＢＯＣ局が存在する場合には、制御部７０は、バスＩＦ部３４を介して隣接妨害検出回路３３内のピーク判定回路３３２に指示を送り、隣接妨害検出に用いられる閾値をＫ０よりも大きなＫ１に変更する。この変更後の閾値Ｋ１は、隣接局としてのＩＢＯＣ局が存在し、かつ、隣接妨害が発生していない場合のＳメータ１２の出力信号中の１００ｋＨｚ近傍の成分のピーク値よりも高く設定されており、隣接妨害検出回路３３によって、隣接妨害が発生していないことを正確に検出することができるようになる。
【００６７】
一方、図１３に示すように、隣接妨害が発生すると１００ｋＨｚ近傍の成分のピーク値がさらに高くなって変更後の閾値Ｋ１を超えるため、隣接妨害検出回路３３は、隣接妨害が発生している旨を示す検出データを出力する。この検出データは、バスＩＦ部３４を介して制御部７０に送られる。
【００６８】
制御部７０は、隣接妨害検出回路３３から送られてくる隣接妨害発生を知らせる検出データを受信すると、バスＩＦ部３４を介してバンドパスフィルタ２２に対して通過帯域を狭くする指示を送る。以後、バンドパスフィルタ２２を通過する帯域が狭くなるので、受信周波数に対して１００ｋＨｚ隔たった搬送波周波数の隣接局が存在した場合の隣接妨害ノイズを低減することが可能になる。
【００６９】
このように、本実施形態のラジオ受信機では、隣接局が存在することを隣接局検出回路３１によって検出したときに、受信処理に関する動作状態を制御部７０によって設定しており、隣接局の有無に応じて異なる動作状態の設定が可能になり、隣接局の有無にかかわらず適切な動作状態を実現することができる。
【００７０】
また、受信対象の放送信号の受信状態としての受信電界強度を検出するＳメータ１２を備えているため、隣接局の有無を考慮しつつ、放送信号の受信状態、特に受信電界強度に応じて適切な動作状態を実現することが可能になる。
また、動作状態を可変に設定する対象となる隣接局を、アナログＦＭ放送信号とデジタル放送信号とが一のチャンネルに含まれる放送信号を送信するＩＢＯＣ局とすることにより、デジタル放送信号によってノイズフロアー全体が上昇する場合であっても、常に適切な動作状態を実現することが可能になる。
【００７１】
また、アナログＦＭ放送信号を受信してその内容を再生、出力する際に、隣接するＩＢＯＣ局の有無に応じて動作状態を可変に設定することにより、受信対象となる放送波に含まれるアナログＦＭ放送信号のノイズフロアーが、隣接するＩＢＯＣ局のデジタル放送信号によって全体的に上昇した場合であっても適切な動作状態を実現することが可能になる。
【００７２】
また、隣接局検出回路３１は、Ｓメータ１２から出力されるＡＣ成分中に含まれる隣接局としてのＩＢＯＣ局のデジタル放送信号によるビート成分を抽出するバンドパスフィルタ３１０と、このバンドパスフィルタ３１０を通過した周波数成分のレベル検出を行って隣接するＩＢＯＣ局の有無を判定するピーク判定回路３１２とを有しており、これにより、アナログＦＭ放送信号とともにデジタル放送信号が含まれるチャンネルの放送信号を送信するＩＢＯＣ局のみを選択的に抽出することが可能になる。
【００７３】
また、本実施形態のラジオ受信機にはマルチパス妨害発生の有無を検出するマルチパス検出回路３２が備わっており、制御部７０は、隣接局としてのＩＢＯＣ局の有無に基づいて、マルチパス検出回路３２によってマルチパス妨害発生の有無を判定する際の閾値を可変に設定している。これにより、ＩＢＯＣ局の有無に応じてマルチパス妨害の検出能力が変化してしまう場合であっても、ＩＢＯＣ局の有無にかかわらず適切なマルチパス妨害の検出を行うことが可能になる。
【００７４】
また、本実施形態のラジオ受信機には隣接妨害発生の有無を検出する隣接妨害検出回路３３が備わっており、制御部７０は、隣接局としてのＩＢＯＣ局の有無に基づいて、隣接妨害検出回路３３によって隣接妨害発生の有無を判定する際の閾値を可変に設定している。これにより、ＩＢＯＣ局が存在する場合であっても隣接妨害の検出機能を維持することが可能になり、隣接局の有無にかかわらず適切な隣接妨害の検出を行うことが可能になる。
【００７５】
なお、本発明は上記実施形態に限定されるものではなく、本発明の要旨の範囲内において種々の変形実施が可能である。上述した実施形態では、アナログＦＭ放送信号とこれに対応するデジタル放送信号を受信するラジオ受信機について説明したが、アナログＡＭ放送信号とこれに対応するデジタル放送信号を受信する場合にも本発明を適用することができる。
【００７６】
また、上述した実施形態では、アナログ放送デコーダ２０とともにデジタル放送デコーダ４０が備わったラジオ受信機について説明したが、アナログ放送デコーダ２０のみを備えてアナログＦＭ放送信号に対してのみ再生動作を行うラジオ受信機に本発明を適用するようにしてもよい。
【００７７】
【発明の効果】
上述したように、本発明によれば、隣接局の有無にかかわらずマルチパス妨害の発生を検出するとともに、適切な動作状態を実現することが可能になる。特に、隣接局の有無を考慮しつつ、放送信号の受信状態、特に受信電界強度に応じて適切な動作状態を実現することができる。
【図面の簡単な説明】
【図１】一実施形態のラジオ受信機の構成を示す図である。
【図２】ＩＢＯＣ放送システムに用いられる放送信号の周波数割り当てを示す図である。
【図３】アナログ放送デコーダに含まれる一部の回路の詳細構成を示す図である。
【図４】隣接局としてのＩＢＯＣ局が存在しない場合の入出力特性の内容を示す図である。
【図５】隣接局としてのＩＢＯＣ局が存在しない場合であってマルチパスが発生していないときにＳメータから出力される信号のＡＣ成分を示す図である。
【図６】隣接局としてのＩＢＯＣ局が存在しない場合であってマルチパスが発生しているときにＳメータから出力される信号のＡＣ成分を示す図である。
【図７】隣接局としてのＩＢＯＣ局が存在しない場合であって隣接妨害が発生していないときにＳメータから出力される信号のＡＣ成分を示す図である。
【図８】隣接局としてのＩＢＯＣ局が存在しない場合であって隣接妨害が発生しているときにＳメータから出力される信号のＡＣ成分を示す図である。
【図９】隣接局としてのＩＢＯＣ局が存在する場合の入出力特性の内容を示す図である。
【図１０】隣接局としてのＩＢＯＣ局が存在する場合であってマルチパスが発生していないときにＳメータから出力される信号のＡＣ成分を示す図である。
【図１１】隣接局としてのＩＢＯＣ局が存在する場合であってマルチパスが発生しているときにＳメータから出力される信号のＡＣ成分を示す図である。
【図１２】隣接局としてのＩＢＯＣ局が存在する場合であって隣接妨害が発生していないときにＳメータから出力される信号のＡＣ成分を示す図である。
【図１３】隣接局としてのＩＢＯＣ局が存在する場合であって隣接妨害が発生しているときにＳメータから出力される信号のＡＣ成分を示す図である。
【符号の説明】
１０  チューナ部
２０  アナログ放送デコーダ
２１、３０  アナログ−デジタル変換器（Ａ／Ｄ）
２２、３１０、３２０、３３０  バンドパスフィルタ（ＢＰＦ）
２３  検波回路
２４  ノイズキャンセラ（ＮＣ）
２５  ステレオ復調回路
２６  ソフトミュート回路
２７  切替スイッチ
２８  デジタル−アナログ変換器（Ｄ／Ａ）
３１  隣接局検出回路
３２  マルチパス検出回路
３３  隣接妨害検出回路
３４  バスインタフェース（ＩＦ）部
４０  デジタル放送デコーダ
４２  デジタル放送デコード処理部
５０  メモリ
６２  スピーカ
７０  制御部
２５０  セパレーションコントロール回路
２５２  ハイカット回路
３１２、３２２、３３２  ピーク判定回路
【図１】
2005005819.tif 000003
【図２】
2005005819.tif 000004
【図３】
2005005819.tif 000005
【図４】
2005005819.tif 000006
【図５】
2005005819.tif 000007
【図６】
2005005819.tif 000008
【図７】
2005005819.tif 000009
【図８】
2005005819.tif 000010
【図９】
2005005819.tif 000011
【図１０】
2005005819.tif 000012
【図１１】
2005005819.tif 000013
【図１２】
2005005819.tif 000014
【図１３】
2005005819.tif 000015